(57)【要約】  一例では、半乾きのインクジェット媒体用の定着機のシステムは、印刷装置から半乾きのインクジェット媒体を受け取るように整列されており、それぞれが受け取った半乾きのインクジェット媒体に対して圧力を加えるための上側ローラと下側ローラとを備えている複数の定着機と、複数の定着機から半乾きのインクジェット媒体を受け取る仕上げ機とを備えている。【選択図】図１
2019509195.tif 000002
【特許請求の範囲】
【請求項１】
印刷装置から半乾きのインクジェット媒体を受け取るように整列されており、それぞれが受け取った前記半乾きのインクジェット媒体に対して圧力を加えるための上側ローラと下側ローラとを備えている複数の定着機と、
前記複数の定着機から前記半乾きのインクジェット媒体を受け取る仕上げ機と
を備えている装置。
【請求項２】
前記複数の定着機のいくつかの前記上側ローラが、加熱ローラで構成されている、請求項１に記載の装置。
【請求項３】
前記複数の定着機のいくつかの前記下側ローラが、加熱ローラで構成されている、請求項１に記載の装置
【請求項４】
前記複数の定着機うちの第１の定着機が、加熱ローラである下側ローラと、非加熱ローラである上側ローラとを備えている、請求項１に記載の装置。
【請求項５】
前記複数の定着機うちの第２の定着機が、非加熱ローラである下側ローラと、加熱ローラである上側ローラとを備えている、請求項４に記載の装置。
【請求項６】
半乾きのインクジェット媒体用の定着機のシステムであって、
複数の定着機を備える調整機であって、前記複数の定着機は半乾きのインクジェット媒体が前記調整機を通過している間に圧力を加えるものである、調整機と
前記調整機の第１の端部に連結されて、半乾きのインクジェット媒体を前記調整機に送給する印刷装置と、
前記調整機の第２の端部に連結されて、半乾きのインクジェット媒体を前記調整機から受け取る仕上げ装置と
を備えるシステム。
【請求項７】
前記半乾きのインクジェット媒体が第１の定着機から第２の定着機まで通過する間に、前記複数の定着機が、前記半乾きのインクジェット媒体に対して巻付角度を適用する、請求項６に記載のシステム。
【請求項８】
前記複数の定着機のうちの少なくとも１つの定着機の位置が、前記半乾きのインクジェット媒体が前記複数の定着機のうちの前記少なくとも１つの定着機を通過している間に変更される、請求項７に記載のシステム。
【請求項９】
前記複数の定着機のうちの前記少なくとも１つの定着機は、少なくとも２つの固定定着機の間に配置されている、請求項８に記載のシステム。
【請求項１０】
前記調整機に連結されている空気循環装置を備える、請求項６に記載のシステム。
【請求項１１】
前記空気循環装置が前記調整機内の空気を循環させて、前記調整機内から水分を除去する、請求項１０に記載のシステム。
【請求項１２】
調整機を備える、半乾きのインクジェット媒体用の定着機のシステムであって、
前記調整機は、
下側の加熱ローラと上側の非加熱ローラとを備えており、印刷装置から半乾きのインクジェット媒体を受け取る第１の定着機と、
下側の非加熱ローラと上側の加熱ローラとを備えており、前記第１の定着機から半乾きのインクジェット媒体を受け取る第２の定着機と、
下側の加熱ローラと上側の非加熱ローラとを備えており、前記第２の定着機から半乾きのインクジェット媒体を受け取る第３の定着機と
を備えてなる、システム。
【請求項１３】
前記第１の定着機と前記第３の定着機とを第１のレベルで実質的に整列させ、前記第２の定着機を前記第１のレベルとは異なる第２のレベルに配置している、請求項１２に記載のシステム。
【請求項１４】
前記第２の定着機は、前記第１の定着機および前記第３の定着機に比べて上乗せされた張力を前記半乾きのインクジェット媒体に対して加える、請求項１３に記載のシステム。
【請求項１５】
前記半乾きのインクジェット媒体が前記調整機を通過する際、前記半乾きのインクジェット媒体は対応する加熱ローラに巻き付く、請求項１３に記載のシステム。
【発明の詳細な説明】
【背景技術】
【０００１】
インクジェットプリンタは、（例えば、紙、プラスチックなどの）印刷可能媒体に或る量の印刷液を被着させることができる。いくつかの例では、インクジェットプリンタによって被着させた印刷液の液滴がまだ完全には乾燥していない間に、インクジェットプリンタによって印刷媒体に反りやしわが生じてしまう場合がある。また、いくつかの例では、インクジェットプリンタによって被着させた印刷液の液滴がまだ完全には乾燥していない間、印刷可能媒体のいくつかの物理的特性に変化が生じてしまう場合がある。例えば、インクジェットプリンタによって被着させた印刷液の液滴がまだ完全には乾燥していない間、印刷可能媒体の剛性が変化してしまう場合がある。そして、反りやしわ、印刷液の液滴によって生じた他の物理的特性の変化によって、仕上げ処理を行うことが困難になる場合もある。
【図面の簡単な説明】
【０００２】
【図１】本開示の内容と合致する、半乾きのインクジェット媒体用の定着機の例示的なシステムを示す。
【図２】本開示の内容と合致する、半乾きのインクジェット媒体用の定着機の例示的なシステムを示す。
【図３】本開示の内容と合致する、半乾きのインクジェット媒体用の定着機の例示的なシステムを示す。
【発明を実施するための形態】
【０００３】
本明細書では、半乾きのインクジェット媒体用の定着機のシステムや装置として、いくつかのシステムや装置を記載している。いくつかの例では、半乾きのインクジェット媒体用の定着機のシステムは、印刷装置から半乾きのインクジェット媒体を受け取るように整列されており、それぞれが受け取った前記半乾きのインクジェット媒体に対して圧力および熱を加えるための上側ローラと下側ローラとを備えている複数の定着機と、複数の定着機から半乾きのインクジェット媒体を受け取る仕上げ機とを備えていてもよい。本明細書において、半乾きのインクジェット媒体（partially dried inkjet media）とは、インクジェット式の印刷装置によって同媒体上に付着した印刷液がまだ完全には乾燥していない状態の媒体を含みうる。
【０００４】
半乾きのインクジェット媒体は、積み重ねたり、位置を揃えたり、仕上げ処理を行ったりすることが難しい場合がある。これは、例えば、半乾きのインクジェット媒体には、反り、しわ、剛性の低下、表面粗さの増大、繊維の露出、繊維配向の乱れ、媒体シート間摩擦の増大などの特性変化が生じている場合があるためである。いくつかの例では、これらの特性変化は、印刷液を媒体上に被着させて、媒体が印刷液を吸収することによって生じ得る。例えば、印刷液は、紙などの媒体が吸収可能な液体の状態をとることができる。この例の場合、液体状態の印刷液によって、他の液体によって媒体に生じる特性変化と同様の特性変化が媒体に生じてしまう可能性がある。
【０００５】
いくつかの例では、複数の定着機を（例えば、インクジェットプリンタなどの）印刷装置と（例えば、仕上げ機などの）仕上げ装置との間に連結することができる。例えば、複数の定着機は、プリンタから半乾きのインクジェット媒体を受け取って、その半乾きのインクジェット媒体を（例えば、積み重ね、丁合い、ステープル留め、穴あけ、綴じなどの）仕上げ処理を行う仕上げ機に送給することができる。いくつかの例では、複数の定着機のそれぞれがいくつかのローラを備えることができる。例えば、複数の定着機のうちの１つの定着機が、半乾きのインクジェット媒体の第１の面と相互作用する上側ローラと、半乾きのインクジェット媒体の第２の面と相互作用する第２のローラとを備えることができる。
【０００６】
複数の定着機を利用して、半乾きのインクジェット媒体に圧力を加えることにより、媒体が印刷液を吸収することによって生じる特性変化を元の状態に戻す、もしくは部分的に元の状態に戻すことができる。例えば、複数の定着機を利用して、圧力、熱、接触ゾーン、巻付角度のうちの少なくとも１つによって、印刷液の乾燥を促進することができる。いくつかの例では、複数の定着機は、第１の定着機から第２の定着機にかけて交互に現れる巻付角度を利用して、半乾きのインクジェット媒体に生じていた特性変化を元の状態に戻す、もしくは部分的に元の状態に戻すことができる。
【０００７】
本明細書において、参照番号は、最上位桁が図面番号に対応し、それ以外の桁が図面における要素やコンポーネントを識別するという番号付け規則に従っている。本明細書において、図中に示す各要素は、追加や交換、省略が可能であり、これにより、さらにいくつかの本開示の例が得られ得る。さらに、図に示す各要素の比率や相対的な大きさは、本開示の例を説明することを意図するものであって、限定的な意味で解釈すべきではない。
【０００８】
図１は、本開示の内容と合致する、半乾きのインクジェット媒体用の定着機の例示的なシステム１００を示している。システム１００を利用して、半乾きのインクジェット媒体に生じていたいくつかの特性変化を元の状態に戻して、あるいは部分的に元の状態に戻して、仕上げ処理を行うことができる。本明細書に記載するように、半乾きのインクジェット媒体に生じているこれらいくつかの特性変化によって、仕上げ処理を行おうとすると問題が生じてしまう可能性がある。
【０００９】
システム１００は、プリンタ１０２を備えることができる。いくつかの例では、プリンタ１０２は、（例えば、インクなどの）印刷液を印刷媒体に被着させることができるインクジェットプリンタであってもよい。本明細書に記載するように、印刷媒体は、いくつかの定着機１０４−１，１０４−２，１０４−３，１０４−Ｎに送給された時点ではまだ完全には乾燥していない場合がある。例えば、プリンタ１０２は、半乾きのインクジェット媒体を生成して、この半乾きのインクジェット媒体をいくつかの定着機１０４−１，１０４−２，１０４−３，１０４−Ｎに送給することができる。いくつかの例では、いくつかの定着機１０４−１，１０４−２，１０４−３，１０４−Ｎはプリンタ１０２に連結されており、半乾きのインクジェット媒体をプリンタ１０２からいくつかの定着機１０４−１，１０４−２，１０４−３，１０４−Ｎに直接送給できるようになっていてもよい。
【００１０】
いくつかの例では、いくつかの定着機１０４−１，１０４−２，１０４−３，１０４−Ｎは、（例えば、加熱ローラ１０６−１，１０６−２、非加熱ローラ１０８−１，１０８−２などの）いくつかのローラを備えることができる。いくつかの例では、これらいくつかのローラを、プリンタ１０２から受け取った半乾きのインクジェット媒体に圧力を加えるように配置することができる。いくつかの例では、いくつかの定着機１０４−１，１０４−２，１０４−３，１０４−Ｎのそれぞれが、いくつかの加熱ローラ１０６−１，１０６−２と、これらと対になる対応する数の非加熱ローラ１０８−１，１０８−２とを備えることができる。いくつかの例では、加熱ローラ１０６−１，１０６−２として、ローラ表面を加熱するための内部熱源を有する「ホットローラ（hot roller）」を備えることができる。他の例では、各加熱ローラ１０６−１，１０６−２は、加熱接触ゾーンを有するアセンブリとすることができる。例えば、加熱ローラ１０６−１，１０６−２は、このアセンブリの表面のある領域内において発熱することができる。これらいくつかの定着機１０４−１，１０４−２，１０４−３，１０４−Ｎは、半乾きのインクジェット媒体に加えられる圧力と熱とを利用して、いくつかの特性変化を元の状態に戻すことができる。
【００１１】
いくつかの例では、いくつかの定着機１０４−１，１０４−２，１０４−３，１０４−Ｎは、いくつかのアクティブローラといくつかのパッシブローラとを利用して、半乾きのインクジェット媒体をプリンタ１０２から仕上げ機１１０に移送することができる。本明細書において、アクティブローラ（active roller）とは、特定の方向に向かって機械的に動くローラを含みうる。例えば、アクティブローラを、能動的にローラを動かすモータに接続することができる。いくつかの例では、いくつかの加熱ローラ１０６−１，１０６−２をアクティブローラとすることができる。いくつかの例では、これらいくつかの加熱ローラ１０６−１，１０６−２をアクティブローラとして、半乾きのインクジェット媒体との接触部をより大きくすることができる。逆に、いくつかの非加熱ローラ１０８−１，１０８−２をアクティブローラとすることもできる。
【００１２】
本明細書において、パッシブローラ（passive roller）とは、（例えば、アクティブローラなどの）他のローラとは独立に機械的に動くことはないローラを含みうる。例えば、いくつかのパッシブローラは、これらいくつかのパッシブローラが動けるようにするベアリングには接続され得るが、これらいくつかのパッシブローラを物理的に動かす機械的装置に接続されることはない。いくつかの例では、いくつかの非加熱ローラ１０８−１，１０８−２をパッシブローラとすることができる。例えば、これらのいくつかの非加熱ローラ１０８−１，１０８−２をベアリングシステムに接続されたパッシブローラとして、非加熱ローラ１０８−１，１０８−２が加熱ローラ１０６−１，１０６−２によって動かされるようにすることができる。
【００１３】
いくつかの例では、いくつかの定着機１０４−１，１０４−２，１０４−３，１０４−Ｎを通過する半乾きのインクジェット媒体の巻付角度が０°〜２０°となるように、いくつかの定着機１０４−１，１０４−２，１０４−３，１０４−Ｎを実質的に直線状に整列させることができる。本明細書にさらに記載するように、半乾きのインクジェット媒体の巻付角度は、（例えば、プリンタの種類、付着させる印刷液の量、印刷液の用途などの）いくつかの因子に基づいて調整することができる。いくつかの例では、いくつかの定着機１０４−１，１０４−２，１０４−３，１０４−Ｎが作り出したこの半乾きのインクジェット媒体の巻付角度によって、半乾きのインクジェット媒体に張力を加えることができる。いくつかの例では、この半乾きのインクジェット媒体に加えられた張力によって、半乾きのインクジェット媒体に生じていたいくつかの特性変化を元の状態に戻すことができる。
【００１４】
いくつかの例では、いくつかの定着機１０４−１，１０４−２，１０４−３，１０４−Ｎは、筺体（enclosure、図示せず）の内部にあってもよい。これらの例では、筺体は空気循環装置を備えることができる。空気循環装置を利用して、湿った空気を筺体から排出させることができる。湿った空気を筺体から排出させることにより、印刷媒体に被着した印刷液の乾燥を促進することができる。いくつかの例では、空気循環装置を利用して、半乾きのインクジェット媒体に熱風を当てることもできる。
【００１５】
図２は、本開示の内容と合致する、半乾きのインクジェット媒体用の定着機の例示的なシステム２００を示している。いくつかの例では、システム２００は、図１に参照されるシステム１００と同一または同様の要素を備えることができる。例えば、システム２００は、プリンタ２０２と仕上げ機２１０とを備えることができ、これらはいずれもいくつかの定着機２０４−１，２０４−２，２０４−３，２０４−Ｎに連結されている。本明細書に記載するように、プリンタ２０２は、半乾きのインクジェット媒体を生成することができるインクジェットプリンタを含みうる。本明細書に記載するように、半乾きのインクジェット媒体は、インクジェット媒体上に被着した印刷液によって生じ得るいくつかの特性変化を含む場合がある。
【００１６】
いくつかの例では、いくつかの定着機２０４−１，２０４−２，２０４−３，２０４−Ｎのそれぞれが、いくつかの加熱ローラ２０６−１，２０６−２と、いくつかの非加熱ローラ２０８−１，２０８−２とを備えることができる。いくつかの例では、いくつかの定着機２０４−１，２０４−２，２０４−３，２０４−Ｎのそれぞれが、１つの加熱ローラ２０６−１，２０６−２と、１つの非加熱ローラ２０８−１，２０８−２とを備えることができる。例えば、定着機２０４−１は、加熱ローラ２０６−１である下側ローラと、非加熱ローラ２０８−１である上側ローラとを備えることができる。この例では、定着機２０４−１を、半乾きのインクジェット媒体を受け取る第１の定着機とすることができる。この例では、加熱ローラ２０６−１を、半乾きのインクジェット媒体の最後に印刷された側（面）が加熱ローラ２０６−１に接触するように配置することができる。
【００１７】
いくつかの例では、いくつかの定着機２０４−１，２０４−２，２０４−３，２０４−Ｎを通過する半乾きのインクジェット媒体の巻付角度が２０°〜１８０°となるように、いくつかの定着機２０４−１，２０４−２，２０４−３，２０４−Ｎを非直線状に整列させることができる。半乾きのインクジェット媒体の巻付角度は、（例えば、プリンタの種類、付着させる印刷液の量、印刷液の用途などの）いくつかの因子に基づいて調整することができる。例えば、巻付角度を大きくするほど、半乾きのインクジェット媒体の（例えば、張力を加える時間などの）接触時間を長くすることができる。本明細書において、接触時間（contact time）とは、半乾きのインクジェット媒体がいくつかの定着機２０４−１，２０４−２，２０４−３，２０４−Ｎと接触している時間の長さを含みうる。
【００１８】
いくつかの例では、半乾きのインクジェット媒体においては、媒体の繊維が印刷液によって露出したり、配向が乱れたりしている場合がある。繊維の露出や配向の乱れによって、印刷液を被着させる前のインクジェット媒体に比べて、半乾きのインクジェット媒体の剛性が比較的低くなってしまう場合がある。また繊維の露出や配向の乱れによって、本明細書に記載するような他のいくつかの特性にも変化が生じてしまう可能性がある。そこで、いくつかの例では、半乾きのインクジェット媒体を加熱ローラ２０６−１，２０６−２，２０６−３に暴露させて乾燥させている間に、半乾きのインクジェット媒体に対して或る時間長または大きさの張力を加えること、元に戻す方向に曲げること、および繰り返し圧力を加えることによって、繊維配向を元に戻したり、露出した繊維を再び差し込んだりする程度をより大きくすることができる。例えば、半乾きのインクジェット媒体に対して張力を加えたり、元に戻す方向に曲げたり、繰り返し圧力を加えたり、熱を加えたりすることのうち１つ以上を行うことにより、いくつかの定着機２０４−１，２０４−２，２０４−３，２０４−Ｎによって圧力または熱を加えることによっては元の状態に戻すことができなかったような、半乾きのインクジェット媒体に生じているいくつかの特性変化を元の状態に戻すことができる。
【００１９】
本明細書で説明するように、いくつかの定着機２０４−１，２０４−２，２０４−３，２０４−Ｎによって、半乾きのインクジェット媒体に生じているいくつかの特性変化を元の状態に戻すことができる。いくつかの例では、いくつかの定着機２０４−１，２０４−２，２０４−３，２０４−Ｎは、半乾きのインクジェット媒体に対して圧力、張力、熱のいずれかまたはすべてを加えることによって、仕上げ装置２１０用に半乾きのインクジェット媒体を調製することができる。本明細書に記載するように、仕上げ機２１０は、特性変化が元の状態に戻されている場合あるいは部分的に元の状態に戻されている場合には、いくつかの仕上げ処理を行うことができるが、プリンタ２０２が生成した後の半乾きのインクジェット媒体に特性変化が存在している場合には、仕上げ処理を行うことができない場合がある。あるいは、仕上げ機２１０は、所望の仕上げ特性を行うためにそれほど複雑ではない場合もある。
【００２０】
図３は、本開示の内容と合致する、半乾きのインクジェット媒体用の定着機の例示的なシステム３００を示している。システム３００は、図１に参照されるシステム１００と同一または同様の要素、図２に参照されるシステム２００と同一または同様の要素のいずれかまたはすべてを備えることができる。例えば、システム３００は、プリンタ３０２と仕上げ機３１０とを備えることができ、これらはいくつかの定着機３０４−１，３０４−２，３０４−３，３０４−Ｎに連結されている。いくつかの例では、いくつかの定着機３０４−１，３０４−２，３０４−３，３０４−Ｎのそれぞれが、いくつかの加熱ローラ３０６−１，３０６−２と、いくつかの非加熱ローラ３０８−１，３０８−２とを備えることができる。
【００２１】
いくつかの例では、いくつかの定着機３０４−１，３０４−２，３０４−３，３０４−Ｎを通過する半乾きのインクジェット媒体の巻付角度が特定の大きさとなるように、いくつかの定着機３０４−１，３０４−２，３０４−３，３０４−Ｎを整列させることができる。例えば、半乾きのインクジェット媒体の巻付角度は、０°〜１８０°とすることができる。本明細書に記載するように、半乾きのインクジェット媒体の巻付角度によって、或る特定の大きさや時間長の張力を半乾きのインクジェット媒体に対して加えることができる。
【００２２】
いくつかの例では、いくつかの定着機３０４−１，３０４−２，３０４−３，３０４−Ｎは、（例えば、定着機３０４−２などの）いくつかの往復移動定着機（alternating fuser）を備えることができる。いくつかの例では、これらいくつかの往復移動定着機を、位置を変えることによって張力を生み出して、それを巻付角度によって生み出される張力に上乗せすることができる定着機とすることができる。いくつかの例では、半乾きのインクジェット媒体が往復移動定着機を通過している間に、これらの往復移動定着機を調整することができる。例えば、半乾きのインクジェット媒体が定着機３０４−２を通過している間に、定着機３０４−２を矢印３１２の方向に移動させて、定着機３０４−２の元の位置よりも相対的に低い位置に来るように調整することができる。
【００２３】
いくつかの例では、半乾きのインクジェット媒体が、いくつかの定着機３０４−１，３０４−２，３０４−３，３０４−Ｎのうちの特定の組み合わせの定着機を通過するときに、往復移動定着機は位置を変えることができる。例えば、定着機３０４−２を往復移動定着機とすることができる。この例では、半乾きのインクジェット媒体が定着機３０４−１、定着機３０４−２、および定着機３０４−３を通過している間に、定着機３０４−２が矢印３１２の方向の位置に来るように調整することができる。この例では、半乾きのインクジェット媒体により大きな張力を加えることができる。例えば、定着機３０４−２の位置が矢印３１２の方向に変化すると、半乾きのインクジェット媒体は、定着機３０４−１と定着機３０４−３とで半乾きのインクジェット媒体を保持できるような位置をとることができる。
【００２４】
いくつかの例では、２つの固定定着機の間ごとに配置されるいくつかの定着機３０４−１，３０４−２，３０４−３，３０４−Ｎを、往復移動定着機とすることができる。本明細書において、固定定着機（stationary fuser）は、半乾きのインクジェット媒体の通過には調整を行うことができない定着機とすることができる。例えば、定着機３０４−１および定着機３０４−３を固定定着機とする一方、定着機３０４−２を往復移動定着機とすることができる。いくつかの例では、いくつかの定着機３０４−１，３０４−２，３０４−３，３０４−Ｎをいずれも往復移動定着機とすることができる。例えば、定着機３０４−１が（例えば、矢印３１２の方向とは反対方向の）第１の位置に変化し、定着機３０４−２が、（例えば、矢印３１２の方向の）第２の位置に変化し、定着機３０４−３が第１の位置に変化することができる。これらの例では、半乾きのインクジェット媒体に互いに反対方向の張力を加えることによって、比較的大きな張力を半乾きのインクジェット媒体に加えることができる。このような位置変化は、定着機３０４−２を所定の位置まで強制的に移動させるのではなく、矢印３１２の方向に力を加えることによって実現することができる。
【００２５】
いくつかの例では、プリンタ３０２に最も近い定着機を固定定着機とすることができる。いくつかの例では、仕上げ機３１０に最も近い定着機を固定定着機とすることができる。いくつかの例では、或る定着機に隣接する定着機が媒体を保持している間に、当該或る定着機に対して張力を加えることができる。例えば、半乾きのインクジェット媒体が定着機３０４−１と定着機３０４−３とによって保持されている間、定着機３０８−２に対して矢印３１２の方向に張力を加えることができる。
【００２６】
いくつかの例では、より多数の定着機を設けたり、より少数の定着機を設けたりすることもできる。いくつかの例では、半乾きのインクジェット媒体を仕上げ機３１０に送給する前に、半乾きのインクジェット媒体がいくつかの定着機３０４−１，３０４−２，３０４−３，３０４−Ｎを複数回通過するように送給することにより、利用する定着機の数を低減することができる。また、いくつかの例では、いくつかの定着機３０４−１，３０４−２，３０４−３，３０４−Ｎを利用して、半乾きのインクジェット媒体を仕上げ機３１０に送給する前に、半乾きのインクジェット媒体がいくつかの定着機３０４−１，３０４−２，３０４−３，３０４−Ｎを複数回通過するように循環させることもできる。
【００２７】
システム３００を利用することにより、半乾きのインクジェット媒体がいくつかの定着機３０４−１，３０４−２，３０４−３，３０４−Ｎを通過している間に、半乾きのインクジェット媒体に対して熱、圧力、張力のいずれかまたはすべてを加えることができる。本明細書に記載するように、熱、圧力、張力のいずれかまたはすべてを加えることによって、半乾きのインクジェット媒体に生じているいくつかの特性変化を元の状態に戻すことができる。本明細書に記載するように、システム３００を利用して、プリンタ３０２が生成する半乾きのインクジェット媒体を、仕上げ機３１０が行う仕上げ処理用に調製することができる。
【００２８】
本明細書において、「論理回路（logic）」とは、メモリに格納されてプロセッサが実行可能な、例えばソフトウェアやファームウェアなどのコンピュータ実行可能命令ではなく、例えば、様々な形態のトランジスタ論理回路、特定用途向け集積回路（ＡＳＩＣ）などのハードウェアを備えている、本明細書に記載の特定の動作、機能、またはその両方などを実行するための処理リソースである。さらに、本明細書において、「a」または「いくつかの（a number of)」によって導かれるものは、１つのものまたは複数のものを指すことができる。例えば、「いくつかのウィジェット」は、１つのウィジェットまたは複数のウィジェットを指すことができる。
【００２９】
上述の明細書、例およびデータは、本開示の方法および用途、ならびに本開示のシステムおよび方法の利用を説明するためのものである。本開示のシステムおよび方法の趣旨および範囲から逸脱することなく、数多くの例を実現することができるため、本明細書は、単にそれら多くの可能な構成例や実施態様例のうちの一部を記載しているに過ぎない。
【図１】
2019509195.tif 000003
【図２】
2019509195.tif 000004
【図３】
2019509195.tif 000005
【国際調査報告】
2019509195.tif 000006
2019509195.tif 000007
2019509195.tif 000008